(57)【要約】      （修正有）【課題】陳列商品のストック状況や商品のサイズなど陳列商品にかんする商品情報を確認し、消費者には所望サイズの商品を遅滞なく提供しうるなど、効率的な商品の販売を可能とすることにある。【解決手段】商品の展示体２は、少なくとも商品の陳列部５と商品のストア部６とを備え、ストア部の前面を立面状に構成し、陳列部に履物などの陳列商品を配置する一方、陳列商品に関連する商品としてサイズの異なる同種商品をストック商品としてパッケージに収納し、パッケージを介して前方側からストック商品をストア部に出し入れ自在とするとともに高さ方向へ同列状に配置し、ストック商品が少なくとも前方側に露呈しないようにパッケージの前部に遮蔽部を設けた。また商品の試着体３は、ジグザク形の仕切り部５３により区画されかつ仕切り部を挟み両側に商品を試着する前方を開放するブースが連続して形成される。【選択図】図１
2004321736.tif 000002
【特許請求の範囲】
【請求項１】
少なくとも商品の陳列部と商品のストア部とを備え、ストア部の前面を立面状に構成し、陳列部には履物などの陳列商品を配置する一方、ストア部には陳列商品に関連する同種商品をストック商品として高さ方向へ同列状に配置するとともに前方側からストア部に出し入れ自在とし、ストック商品が少なくとも前方側に露呈しないようにストア部の前部に遮蔽部を設けた請求項１に記載の商品の展示体。
【請求項２】
少なくとも商品の陳列部と商品のストア部とを備え、ストア部の前面を立面状に構成し、陳列部に履物などの陳列商品を配置する一方、陳列商品に関連する商品としてサイズの異なる同種商品をストック商品としてパッケージに収納し、パッケージを介して前方側からストック商品をストア部に出し入れ自在とするとともに高さ方向へ同列状に配置し、ストック商品が少なくとも前方側に露呈しないようにパッケージの前部に遮蔽部を設けた商品の展示体。
【請求項３】
パッケージは外包部と内包部からなるボックス状とし、前部を開口する外包部に上部を開口する内包部を前方側から出し入れ自在に構成し、前部に遮蔽部を有する内包部にストックの商品が収納される請求項２に記載の商品の展示体。
【請求項４】
展示体は水平方向の同列状に配置された陳列部を設けてなる請求項１、２又は３に記載の商品の展示体。
【請求項５】
展示体は展示棚あるいは展示台に構成し、展示棚にあっては陳列部を床面から２メートルの範囲内の高さに設定し、また展示台にあっては陳列部を床面から１．５メートルの範囲内の高さ設定した請求項４に記載の商品の展示体。
【請求項６】
ジグザク形の仕切り部により区画されかつ仕切り部を挟み両側に商品を試着する前方を開放するブースが連続して形成される商品の試着体。
【請求項７】
商品の展示体および／又は商品の試着体を備える店舗であって、前記商品の展示体は少なくとも商品の陳列部と商品のストア部とを備え、ストア部の前面を立面状に構成し、陳列部に履物などの陳列商品を配置する一方、陳列商品と関連する商品としてサイズの異なる同種商品をストック商品としてパッケージに収納し、パッケージを介して前方側からストック商品をストア部に出し入れ自在とするとともに高さ方向へ同列状に配置し、ストック商品が少なくとも前方側に露呈しないようにパッケージの前部に遮蔽部を設ける一方、前記商品の試着体はジグザク形の仕切り部により区画され、かつ仕切り部を挟み両側にそれぞれ商品を試着する前方を開放したブースを連続して形成してなる店舗。
【発明の詳細な説明】
【０００１】
【発明の属する技術分野】
本発明は靴を含む履物などの商品の展示体、試着ブースを有する商品の試着体およびこれらを備えた店舗にかんする。
【０００２】
【従来の技術】
従来、店舗で種々の商品が展示されているが、例えば、靴などの履物でみると消費者の目に触れやすいように多数の履物を棚全体に展示している。そこで選択した商品のもサイズがあわないような場合、消費者を待たせたままで店員が商品の保管室から所望サイズの商品を捜し出してくる必要があり、迅速なサービスができないのみならず、対応商品が保管されていないときは、商品販売のチャンスを失することにもなりかねない。
【０００３】
【発明が解決しようとする課題】
商品の展示体、商品の試着体およびこれらを備えた店舗にかかる本発明はこのような不都合を解決するものであり、その解決しようとする課題は、陳列商品のストック状況や商品のサイズなど陳列商品にかんする商品情報を確認し、消費者には所望サイズの商品を遅滞なく提供しうるなど、効率的な商品の販売を可能とすることにある。また店舗のスペースを集中的にかつ効率的に利用でき、整然とした商品の展示をおこない、雰囲気のある店づくりを可能とするものである。
【０００４】
【課題を解決するための手段】
この課題を解決するため、本発明にかかる商品の展示体は、少なくとも商品の陳列部と商品のストア部とを備え、ストア部の前面を立面状に構成し、陳列部には履物などの陳列商品を配置する一方、ストア部には陳列商品に関連する同種商品をストック商品として高さ方向へ同列状に配置するとともに前方側からストア部に出し入れ自在とし、ストック商品が少なくとも前方側に露呈しないようにストア部の前部に遮蔽部を設けた。
【０００５】
パッケージにストック商品を収納する場合には、少なくとも商品の陳列部と商品のストア部とを備え、ストア部の前面を立面状に構成し、陳列部に履物などの陳列商品を配置する一方、陳列商品に関連する商品としてサイズの異なる同種商品をストック商品としてパッケージに収納し、パッケージを介して前方側からストック商品をストア部に出し入れ自在とするとともに高さ方向へ同列状に配置し、ストック商品が少なくとも前方側に露呈しないようにパッケージの前部に遮蔽部を設けた。
【０００６】
また前記パッケージは外包部と内包部からなる全体をボックス状とし、前部を開口する外包部に上部を開口する内包部を前方側から出し入れ自在に構成し、前部に遮蔽部を有する内包部にストックの商品が収納される。
【０００７】
商品の試着体については、ジグザク形の仕切り部により区画されかつ仕切り部を挟み両側に商品を試着するブースが前方を開放し連続して形成される。そして店舗は少なくとも上記のような商品の展示体および／又は商品の試着体を備えている。
【０００８】
【発明の実施の形態】
図１は本発明にかかる商品の展示体２、商品の試着体３およびこれらを備えた店舗１の斜視図（但し上部の天井部分は省略）である。店舗１は入口３０、窓部３１を設けた正面部３２、左右の対向する側壁部３３、背壁部３５に囲まれ、これら壁部に沿いあるいは壁部から適宜の間隔を置いて設けられた仕切体３６に沿い棚状の展示体、つまり展示棚２ａが配設されている。また店舗の入口３０を入るとほぼ中央部に複数の棒材を一定間隔で組み合わせてなる骨格体３９があり、骨格体３９の内側に台状の展示体、つまり展示台２ｂが配設されている。また商品の靴などの試着する商品の試着体３が配設されている。なお展示体などの配置位置や設置数については制限はない。
【０００９】
商品の展示体、すなわち、展示棚２ａと展示台２ｂはいずれも商品の陳列部５と商品のストア部６を備える。展示体２には陳列部５とストア部６に加え他の構成部材（図せず）などを設けてもよい。陳列部５には、例えば、靴７などの陳列商品が配置される。またストア部６にはストック商品（靴７など）が配置される。すなわちストア部６は多数あるいは複数のストア構成部６ａの集合よりなり、ストア構成部６ａにストック商品７が配置される。そしてストア構成部６ａの集合体であるストア部６の前面（図２、３の符号９で示される上下の点線を結ぶ面、以下同様）は立面状、つまり実質的に立面に構成されている。ここで「立面状」つまり「実質的に立面」とは展示体２の前方に位置する消費者、店員などの関係者が全体を一瞥できるように、あるいは一瞥しやすいようにストア部の前面が平面状に立ち上っている（立設される）ことを意味する。ストア部の前面９は全体が床面３７など展示体２の設置面に対して垂直面となるのが望ましいが全体的にあるいは部分的にある程度の傾斜や湾曲があり、また部分的に凹凸や間隙などの不揃いが    あっても全体として面状であればよい。例えば、図２、３のボックス状のパッケージ２０の場合、前面は側柱２１より若干前方へ突出し、またパッケージ２０、２０間に若干の空隙があるが、パッケージ２０の前部である遮蔽部２２の集合からなるストア部の前面９が立面状となっている（この点についてはさらに後述）。ストア部の前面９はある程度のまとまりが立面状になっていてもよい（図示せず）。
【００１０】
展示体が展示棚２ａの場合、対向する前後、左右の側柱２１が一定の間隔をもって並設され、対向する前後の側柱２１、２１間には一対の支持レール部２３が設けてある。ストック商品の靴７を収納するボックス状のパッケージ２０は支持レール部２３に支持、案内されてストア部の前方側（図２、３参照、図３における左側）から左右の側柱２１間のスペースＳ１に挿入される。ストア部６にストック商品として配置されたパッケージ２０は前方へ引き出して取り出すことができ、パッケージ２０を介してストア部の前方側から出し入れ自在に配置される。
【００１１】
パッケージ２０は外包部２５と内包部２６からなり全体がボックス状である。すなわち外包部２５は前方を開口するボックス状であり、また内包部２６は上部を開口するとともに前部が遮蔽部２２となっており、全体的に外包部２５より若干小さいボックス状である。内包部２６は前方を開口する外包部２５に前方側から出し入れ自在に構成され、内包部２６にはストック商品（靴）７が収納される。前記のように、ストア部６の前面９は立面状に形成されるが、ボックス状のパッケージ２０の場合、ストア構成部として配置された内包部２６の前部、つまり遮蔽部２２が主要素となり、これらの集合体がストア部６の前面９を立面状に形成する。パッケージ２０には陳列商品（靴）７に関連するストック商品、例えば、陳列商品と同種商品（デザイン、形状などが同一）であってサイズの異なる商品（靴）が収納される。ストア構成部に配置されるパッケージ２０は遮蔽部２２により前部が遮蔽されているから、ストック商品（靴）７は少なくとも前方側に露呈することはない。
【００１２】
遮蔽部２２の前面には靴などストック商品の情報、例えば、商品番号やサイズ、商品特性などを表示し、これによりパッケージ２０内の商品情報が確認される。図６の場合、ストック商品の靴７の型式番号、サイズ、カラーなどを表示したラベル２７が遮蔽部２２の前面に貼着されるが、表示手段はラベル２７に限定されない。また遮蔽部２２の前面に内包部２６を外包部２５から引き出す取手２９が設けてある。ボックス状のパッケージの場合、購入済の商品（靴）をパッケージ２０に収納する一方、これらのパッケージ（複数）を積み重ねて保管することができる。パッケージ２０はストック商品（靴）７を収納あるいは配置するものであるから、このような機能を果たすのであればその構造、形態、形状などに限定はない。そこでボックス状でなく、例えば、前記内包部において両側面部と背面部を取り除き、前部の遮蔽部と商品を載置する支持底板を一体に形成した構造でもよい（図示せず）。また四隅の側柱２１、２１間のスペースに商品（靴）を載置する支持底板を設け、遮蔽部を前方の左右側柱間にヒンジで開閉自在に取り付けたものでもよい（図示せず）。
【００１３】
展示棚の陳列部５には靴７などの陳列商品が陳列される。陳列部５は多数あるいは複数の陳列構成部の集合よりなる。図示の場合、陳列構成部５ａは前方を開口したボックス状であり、透明な合成樹脂などの透明素材により形成するのが望ましい。陳列部は陳列商品、特にその外観が見やすく陳列するものであるから、このような機能があればその構造、形態、形状などに限定はない。そこで、例えば、四隅の側柱間のスペースと支持底板により陳列部を形成し、支持底板上に陳列商品を載置してもよい。この場合、周面、すなわち前面、側面、背面が解放されている（図示せず）。陳列構成部５ａを透明素材により形成し、あるいは周面を解放したとき、陳列部は明るくなり、陳列商品がみやすい。そして、陳列商品７は陳列部５に前方からあるいは前方に出し入れされる。
【００１４】
陳列部５は全体があるいは部分的に水平方向の同列状に形成されている。図示の場合、陳列部５は上下２段からなり、隣接する上下各段は全体が水平方向の同列状に形成されている。陳列部の全体が水平方向であるのが望ましいが、一部分が段違でもその部分が水平方向の同列状に形成されていればよい。いずれの場合も、陳列部５を水平方向の同列状に形成することにより、一定の目線により陳列商品５を集中して見ることができるからである。図示の場合上下２段が隣接しているが、１段のみあるいは３段でもよく、また２段以上の場合、上下の各段が隣接しないで分離した状態に配置してもよい（図示せず）。陳列部５には精選した商品（靴）を陳列して消費者などの関心と注意力を効果的に喚起するものである。展示棚２ａの場合、陳列部５を床面３７から２メートルまでの高さの範囲内に設定すると陳列商品が比較的みやすく、好ましくは１．５メートルまでの範囲内とする。また展示棚２ａは店舗などの壁面３３、３５や仕切体３６に近接した状態で配設されるが、背後からの自然採光を考慮してその間隔を調整してもよい（背後からの自然採光についてはさらに後述）。
【００１５】
陳列商品とそのストック商品との配置関係については、陳列部の特定の陳列商品を起点としてこれに関連する同種商品がスットク商品として高さ方向へ同列状に配置される。そこでスットク商品は、例えば、特定の陳列商品の同種商品（例えばサイズの異なる商品）をサイズ順に積み重ねるように配置する。図示のように特定の陳列商品とともに同種商品が垂直方向へ直線状に配置されるのが望ましいが、高さ方向へ配置されるのであれば垂直方向に限定されない。また同列状であれば必ずしも直線状に限定されず、傾斜状あるいは弧状に配置してもよい（図示せず）。
【００１６】
図示の場合、隣接する上下２段からなる陳列部５がストア部６を上下に２分しているが、この場合、隣接する上下２段の陳列部５は両段とも同じ陳列商品を陳列し、陳列商品の同種商品（サイズが異なる）を上下ストア部にそれぞれ配置することができる。上下２段の陳列部に同じ陳列商品を配置するから、陳列商品のアピール度が高まり見やすいとともに、より多くのストック商品をストックすることができる。また上下２段の陳列部５にそれぞれ異なる商品を陳列し、ストア部６上部には上段の陳列商品の同種商品をスットク商品として配置し、またストア６下部には下段の陳列商品の同種商品をスットク商品として配置することができる。この場合、陳列商品の種類を増やすことができる。なおスットク商品の出し入を容易にするため梯子を利用してもよい。
【００１７】
ストア構成部６ａにおけるパッケージ２０の有無は遮蔽部２２の有無により前方から一瞥して確認される。パッケージ２０が配置されていないとき、ストア構成部６ａにスペースＳ１が生じる。またスペースＳ１を通して展示棚２ａの背後（例えば側壁部３３、背壁部３５、仕切体３６）が目視される。背後からの自然採光の状況によりスペースＳ１が明るくなる。展示棚２ａの背後に照明体を設けると、スペースＳ１がさらに明るくなり、これによりパッケージ２０の有無が容易に識別される。照明体は、図示の場合、展示棚２ａと並行する半透明の合成樹脂板のような板状部５０の後方にランプなどの発光体５１を設けたものである。しかしその構造に限定はなくまたランプのみを配置してもよい（図示せず）。このようにパッケージ２０を展示体２に立面状に整列することによりインテリアデザインの一部として構築することができる。またパッケージの集合を、例えば、壁面状のテクスチュアとして築築することもできる。
【００１８】
また展示台２ｂである場合も基本構造は展示棚２ａと同じであり、展示棚と同じ構成部については同じ符号を付して説明する。すなわち展示台２ｂは天板５２上の透明な側板６３に囲まれたスペースが陳列部５を形成しており、陳列部５の下方には陳列部に配置される陳列商品７に関連する同種商品（サイズなどが異なるなど）がストック商品として配置される。多数あるいは複数のストア構成部６ａの集合よりなるストア部の前面が立面状、つまり実質的に立面に構成されている。ボックス状のパッケージ２０にはストック商品が収納され、パッケージ２０を介してストック商品が前方からストア構成部６ａに出し入れ自在に配置される。パッケージ２０は、展示棚の場合と同様に、対向する前後の側柱２１、２１間に設けられた一対の支持レール部２３に支持されてストア構成部６ａに挿入される。ストア部６のスットク商品は陳列商品７を起点として高さ方向に同列状に配置される。展示台の陳列部５に配置された陳列商品７は、上方が解放されているから商品の選択がしやすい。なお展示台の陳列部５は床面から１．５メートルまでの高さの範囲内に設定するのが望ましい。展示台のストア構成部の場合も背後に照明体を設けることができる（図示せず）。
【００１９】
店舗１は内部に消費者が選択した商品（靴など）を試着する商品の試着体３を具備する。敷面部６０上に配設された試着体３はジグザク状に形成された仕切り部５３により区画され、仕切り部５３の両側にはストール５５を備え、商品（靴など）を試着する複数のブース５６が連続して形成されている。平板状の仕切り部５３は、短辺部５７と長辺部５９とからなり、短辺部５７と短辺部５７、長辺部５９と長辺部５９がそれぞれ互いに平行状態に形成してある。また短辺部５７の両側には短辺部に隣接するストール５５が対称位置に配置されている。ストール５５はその最大幅、図示のように上方からみてほぼ正方形の場合は、その一辺の長さが短辺部５７の長さより若干短く、長辺部５９に沿うストール５５の前方に開放されたスペースＳ２を有する。このように複数のブースが連続する集中型に形成されているから、試着体３は場所をとることなくまた効率よく利用できる。
【００２０】
以上のように、本発明によれば、従来、バックヤードにストック商品を確保していた場合と異なり、消費者の所望する商品をその場で直ちに提供することができるとともに、陳列商品に関する商品情報や種類毎に全サイズのストック状況などが一目で確認される。ストック商品は必要に応じて適宜、補充すればよい。商品が一目で確認される。ストック商品は必要に応じて適宜、補充すればよい。商品の販売済などによりストック商品が補充されるまでの間、展示体の一部にスペースを生じるが、そのスペースは他のストック商品とともに全体としてモザイク状の模様を呈するなどインテリアデザインの一部を構成するものとなり、変化のある店舗の雰囲気ずくりに有効である。
【図面の簡単な説明】
【図１】本発明にかかる商品の展示体、商品の試着体およびこれらを備えた店舗の斜視図である。
【図２】パッケージを配置した商品の展示棚の一部拡大側面図である。
【図３】パッケージの出し入れの状態を示す商品の展示棚の一部拡大側面図である。
【図４】パッケージの出し入れの状態を示す商品の展示棚の一部拡大斜視図である。
【図５】ボックス状のパッケージを示す拡大斜視図である。
【図６】パッケージに貼着されるラベルの拡大正面図である。
【図７】商品の展示台の一部拡大正面図である。
【図８】商品の試着体を説明的に示す平面図である。
【符号の説明】
１    店舗
２    展示体
２ａ  展示棚
２ｂ  展示台
３    商品の試着体
５    陳列部
５ａ  陳列構成部
６    ストア部
６ａ  ストア構成部
７    靴
９    前面
２０  パッケージ
２１  側柱
２２  遮蔽部
２３  支持レール部
２５  外包部
２６  内包部
２７  ラベル
２９  取手
３０  入口
３１  窓部
３２  正面部
３３  側壁部
３５  背壁部
３６  仕切体
３７  床面
３９  骨格体
５０  板状部
５１  発光体
５２  天版
５３  仕切り部
５５  ストール
５７  短辺部
５９  長辺部
６０  敷面部
【図１】
2004321736.tif 000003
【図２】
2004321736.tif 000004
【図３】
2004321736.tif 000005
【図４】
2004321736.tif 000006
【図５】
2004321736.tif 000007
【図６】
2004321736.tif 000008
【図７】
2004321736.tif 000009
【図８】
2004321736.tif 000010